(57)【特許請求の範囲】
【請求項１】
テンションメンバを備える光ファイバーケーブルの引込部と、該引込部に対応して取り付けてある光ファイバーケーブルの保持部材とを備える光ファイバーケーブル収納箱において、
前記引込部は複数であり、
各引込部に共用の２個の保持部材が取り付けてあり、
前記保持部材は、光ファイバーケーブルを保持する保持部、及びテンションメンバを保持するテンションメンバ保持部を備え、
複数の引込部のいずれか１つから引き込まれる光ファイバーケーブルを一方の保持部材の保持部で保持すると共に、前記光ファイバーケーブルのテンションメンバを他方の保持部材のテンションメンバ保持部で保持するようにしてあることを特徴とする光ファイバーケーブル収納箱。
【請求項２】
前記２個の保持部材は同形状であり、
前記２個の保持部材がそれぞれ取り付けられる２個の取付部を備える請求項１に記載の光ファイバーケーブル収納箱。
【請求項３】
周囲に立設する平面視で略矩形の周壁を備え、
複数の引込部は、前記周壁の直交する周壁部をそれぞれ切り欠いて形成してある請求項１又は請求項２に記載の光ファイバーケーブル収納箱。
【請求項４】
光ファイバーケーブル用の２個並設してある巻回部を更に備える請求項１乃至請求項３のいずれかに記載の光ファイバーケーブル収納箱。
【請求項５】
前記巻回部は、前記光ファイバーケーブルを周囲に巻回することが可能なボビン状である請求項４に記載の光ファイバーケーブル収納箱。
【請求項６】
前記巻回部は、複数のガイド突起を備える請求項４に記載の光ファイバーケーブル収納箱。
【請求項７】
前記請求項４乃至請求項６のいずれか１つに記載の光ファイバーケーブル収納箱を用いて、索線された光ファイバーケーブルの余長部分を、該光ファイバーケーブル収納箱の２個の巻回部に巻回する光ファイバーケーブルの余長処理方法において、
同方向で巻回する場合、前記余長部分を一方の巻回部と他方の巻回部とに巻回するとき、前記一方の巻回部と他方の巻回部との間を通過させずに、又は、偶数回通過させて巻回し、
反転させて巻回する場合、前記余長部分を前記一方の巻回部と他方の巻回部とに巻回するとき、前記一方の巻回部と他方の巻回部との間を奇数回通過させて巻回していることを特徴とする光ファイバーケーブルの余長処理方法。
【発明の詳細な説明】
【０００１】
【発明の属する技術分野】
本発明は、光ファイバーケーブルを収納するものであって、特に、大型化することなく光ファイバーケーブルを種々の方向から内部に引込可能にすると共に、巻回方向を二通りにし得る光ファイバーケーブル収納箱及び光ファイバーケーブルの余長処理方法に関する。
【０００２】
【従来の技術】
従来、光ファイバーケーブルを内部に引き込むと共に、引き込まれた光ファイバーケーブルの余長部分を巻回して収納するようにしている光ファイバーケーブル収納箱には種々のものが存在している。
【０００３】
図１４に示す従来の光ファイバーケーブル収納箱１は、テンションメンバＴＭと心線Ｈａとを被覆樹脂Ｈｂで被った光ファイバーケーブルＨを引込部１ａより内部１ｂに引き込むようにしている。光ファイバーケーブルＨは、端末側の被覆樹脂Ｈｂを除去して内部のテンションメンバＴＭ及び心線Ｈａを露出させており、心線Ｈａは巻回部１ｃを周回させて余長処理した後、引出部１ｄから引き出している。なお、外部へ引き出された心線Ｈａは、端部にコネクタ（図示せず）を融着して、別体のレセプタクル（図示せず）に接続するようにしている。
【０００４】
光ファイバーケーブル収納箱１は、内部へ引き込んだ光ファイバーケーブルＨを専用のケーブル保持部材２で保持し、索線に係る張力を受け止めており、テンションメンバＴＭの端部は専用のテンションメンバ保持部材３で保持している。
【０００５】
【発明が解決しようとする課題】
図１４の光ファイバーケーブル収納箱１は、光ファイバーケーブルＨの引込部１ａを一箇所のみしか設けていないので、光ファイバーケーブルＨの引込が煩雑になる場合がある。例えば、光ファイバーケーブルＨの索線状況により、光ファイバーケーブル収納箱１の上方から光ファイバーケーブルＨを引き入れざるを得ない場合は、光ファイバーケーブル収納箱１に引き込むために、光ファイバーケーブルＨを下方の引込部１ａにまで引き回す必要があり、光ファイバーケーブルＨの処理作業を効率的に行えない問題がある。
【０００６】
なお、前記のような場合に対して、光ファイバーケーブル収納箱の上方に引込部を新たに設け、この新たな引込部に対してもケーブル保持部材及びテンションメンバ保持部材を箱内部に夫々取り付けることも想定できる。しかし、新たにケーブル保持部材及びテンションメンバ保持部材を設けると、既存のケーブル保持部材及びテンションメンバ保持部材と併せて、計２組のケーブル保持部材及びテンションメンバ保持部材が必要となり、光ファイバーケーブル収納箱自体が大型化し、光ファイバーケーブル収納箱の取扱性が悪化する問題が生じる。
【０００７】
一方、光ファイバーケーブル収納箱１の引出部１ｄから引き出される心線Ｈａは、別体のレセプタクルと接続されることになるが、レセプタクルは位置が固定されているものなので、レセプタクルの位置が引出部１ｄと相異する方向にある場合は、引き出された心線Ｈａをレセプタクルまで引き回す必要が生じ、良好なコネクタの接続作業性を確保できない問題がある。
【０００８】
また、光ファイバーケーブル収納箱１は、単一の巻回部１ｃの周囲に心線Ｈａを周回させるだけなので、巻回形態が限定されると共に心線Ｈａの余長を処理できる量が一定の限度に限られて余長の調整が困難となる問題がある。さらに、光ファイバーケーブルＨを保持するケーブル保持部材２と、テンションメンバＴＭを保持するテンションメンバ保持部材３は、夫々専用品であるため、光ファイバーケーブル収納箱１の部品種類が多くなり、また、取付時に両者を混同しないように注意しなければならない問題もある。
【０００９】
本発明は、斯かる問題に鑑みてなされたものであり、複数の引込部を設けると共に、各引込部に対するテンションメンバ保持部材等を共用可能にすることで、箱自体が大型化することなく、いずれの方向からでも光ファイバーケーブルの引込を可能にして、光ファイバーケーブルの引込作業性を向上させた光ファイバーケーブル収納箱を提供することを目的とする。
【００１０】
また、保持部材及びテンションメンバ保持部材の形状を同一にすることで、共用性を高めて部品の種類を削減した光ファイバーケーブル収納箱を提供することを目的とする。
さらに、光ファイバーケーブルの余長部分を巻回する箇所を二つ設けることで、余長の巻回方向を二方向に調整でき、コネクタとレセプタクルの接続性の向上できると共に、余長部分の寸法に応じた調整を可能にする光ファイバーケーブル収納箱及び光ファイバーケーブルの余長処理方法を提供することを目的とする。
【００１１】
【課題を解決するための手段】
本発明に係る光ファイバーケーブル収納箱は、テンションメンバを備える光ファイバーケーブルの引込部と、該引込部に対応して取り付けてある光ファイバーケーブルの保持部材とを備える光ファイバーケーブル収納箱において、前記引込部は複数であり、各引込部に共用の２個の保持部材が取り付けてあり、前記保持部材は、光ファイバーケーブルを保持する保持部、及びテンションメンバを保持するテンションメンバ保持部を備え、複数の引込部のいずれか１つから引き込まれる光ファイバーケーブルを一方の保持部材の保持部で保持すると共に、前記光ファイバーケーブルのテンションメンバを他方の保持部材のテンションメンバ保持部で保持するようにしてあることを特徴とする。
本発明に係る光ファイバーケーブル収納箱は、前記２個の保持部材は同形状であり、前記２個の保持部材がそれぞれ取り付けられる２個の取付部を備えることを特徴とする。
本発明に係る光ファイバーケーブル収納箱は、周囲に立設する平面視で略矩形の周壁を備え、複数の引込部は、前記周壁の直交する周壁部をそれぞれ切り欠いて形成してあることを特徴とする。
【００１２】
第１発明にあっては、複数の引込部を設けることで、光ファイバーケーブルを種々の方向から内部に引き込むことが可能となり、光ファイバーケーブルの索線の状況の影響を受けることが解消され、引込作業性の効率化を図れる。また、テンションメンバ保持部材は、各引込部に対して共用としているため、テンションメンバ保持部材の個数が引込部の数に比例して増加することもなく、光ファイバーケーブル収納箱が無用に大型化することを防止して、良好な使用性も維持できる。なお、複数の引込部は光ファイバーケーブル収納箱周囲の各所、例えば、光ファイバーケーブル収容箱が矩形であれば、対向する両辺や直交する各辺に設けることが好ましい。
【００１４】
本発明にあっては、ケーブル保持部材も各引込部の共用にすると共に、ケーブル保持部材と前記テンションメンバ保持部材との取付箇所を入れ替え可能にすることで、各引込部に対応した形態でケーブル保持部材及びテンションメンバ保持部材を取り付けることができる。また、ケーブル保持部材及びテンションメンバ保持部材の個数を従来の光ファイバーケーブル収納箱と同数に抑えているので、光ファイバーケーブル収納箱が大型化することもない。
【００１５】
本発明にあっては、ケーブル保持部材と前記テンションメンバ保持部材とが同形状であるため、各保持部材を共用化して部品の種類を低減でき、光ファイバーケーブル収納箱に係る製作コストを低減できる。さらに、各保持部材は同一形状であるため、各保持部材をいずれの取付箇所に取り付けても支障は生じず、誤取付等の発生を根本的に解消し、光ファイバーケーブルの引込作業性の向上に貢献できる。
【００１６】
本発明に係る光ファイバーケーブル収納箱は、光ファイバーケーブル用の２個並設してある巻回部を更に備えることを特徴とする。
【００１７】
本発明にあっては、巻回部を２個設けているので、一方の巻回部だけに光ファイバーケーブルを巻回することや、両方の巻回部に巻回することが可能となり種々の巻回形態に対応でき、余長部分も多様に調整できる。また、巻回形態によっては、巻き始めと巻き終わりの方向を反転することもでき、レセプタクルの位置に応じて巻回方向を調整することにより、光ファイバーケーブル端末のコネクタとレセプタクルとの接続性を向上できる。
【００１８】
本発明に係る光ファイバーケーブル収納箱は、前記巻回部が、前記光ファイバーケーブルを周囲に巻回することが可能なボビン状であることを特徴とする。
本発明に係る光ファイバーケーブル収納箱は、前記巻回部が、複数のガイド突起を備えることを特徴とする。
本発明にあっては、前記巻回部を、ボビン状に形成することにより、又は、複数の巻回規制用のガイド突起で構成することにより種々の巻回形態に対応できる。
【００１９】
本発明に係る光ファイバーケーブルの余長処理方法は、前述の光ファイバーケーブル収納箱を用いて、索線された光ファイバーケーブルの余長部分を、該光ファイバーケーブル収納箱の２個の巻回部に巻回する光ファイバーケーブルの余長処理方法において、同方向で巻回する場合、前記余長部分を一方の巻回部と他方の巻回部とに巻回するとき、前記一方の巻回部と他方の巻回部との間を通過させずに、又は、偶数回通過させて巻回し、反転させて巻回する場合、前記余長部分を前記一方の巻回部と他方の巻回部とに巻回するとき、前記一方の巻回部と他方の巻回部との間を奇数回通過させて巻回していることを特徴とする。
【００２０】
本発明にあっては、２個の巻回部材を並設することで、光ファイバーケーブルの余長を２通りの巻回方法で処理できる。よって、巻回方向を、光ファイバーケーブル端部の接続先であるレセプタクルの向きに合わせることで、光ファイバーケーブル端末の無理な引き回しを解消してスムーズな接続作業を実現できる。
【００２１】
【発明の実施の形態】
以下、本発明をその実施の形態を示す図面に基づいて説明する。
図１は、本発明の実施の形態に係る光ファイバーケーブル収納箱１０の分解斜視図である。光ファイバーケーブル収納箱１０は、平面視で略矩形であり、周囲に周壁１０ａを立設して、光ファイバーケーブルＨの余長部分を巻回処理した状態で内部１０ｃに収納するようにしている。なお、光ファイバーケーブルＨは、心線Ｈａの両側に２本のテンションメンバＴＭを平行に沿わして被覆樹脂Ｈｂで被覆したタイプのものである。
【００２２】
光ファイバーケーブル収納箱１０は、図２に示すように、別体の光信号を電気信号に変換するコンバータ１５と一体化できる形態にしており、コンバータ１５に設けられたレセプタクル１５ａへ、内部１０ｃに収納した心線Ｈａの端末に取り付けたコネクタＣを挿入接続するようにしている。
【００２３】
光ファイバーケーブル収納箱１０は、図１に示すように、周壁１０ａの対向する短辺部１０ｂ−１、１０ｂ−２の一方の角部付近を切り欠いて周壁１０ａの外側と内部１０ｃとを連通させた光ファイバーケーブルＨの引込部１０ｄ−１、１０ｄ−２を設けている。
【００２４】
また、これら各引込部１０ｄ−１、１０ｄ−２に対応して、これら各引込部１０ｄ−１、１０ｄ−２の内部１０ｃ側に、光ファイバーケーブルＨ及びテンションメンバＴＭの保持部材を兼ねる計２個の保持部材１１−１、１１−２の取付部１０ｅ−１、１０ｅ−２を設けている。さらに、光ファイバーケーブル収納箱１０は、各取付部１０ｅ−１、１０ｅ−２の横方に、心線Ｈａを円周状に巻回して余長部分を吸収する第１巻回部１０ｆ−１と第２巻回部１０ｆ−２とを並設している。
【００２５】
上述した取付部１０ｅ−１、１０ｅ−２は、図３（ａ）に示すように、光ファイバーケーブル収納箱１０の底板部１０ｇより突出させた形状にしており上面側の中央に光ファイバーケーブルＨの保持用の窪部１０ｅ−１ａ、１０ｅ−２ａを設けると共に、その両側にはテンションメンバＴＭの保持用の凹部１０ｅ−１ｂ、１０ｅ−２ｂを設けている。また、各凹部１０ｅ−１ｂ、１０ｅ−２ｂの外側には、ネジ穴１０ｅ−１ｃ、１０ｅ−２ｃを夫々設けている。
【００２６】
また、保持部材１１−１、１１−２は、中央箇所を上方に突出した板状片であり、下面側を取付部１０ｅ−１、１０ｅ−２の上面側と対応した形状に形成している。即ち、下面側の中央に光ファイバーケーブルＨの保持用の窪部１１−１ａ、１１−２ａを設け、その両側にはテンションメンバＴＭの保持用の凹部１１−１ｂ、１１−２ｂを設け、各凹部１１−１ｂ、１１−２ｂの外側には、通し穴１１−１ｃ、１１−２ｃを夫々穿設している。
【００２７】
各保持部材１１−１、１１−２は、通し穴１１−１ｃ、１１−２ｃにネジＮを夫々挿通し、取付部１０ｅ−１、１０ｅ−２のネジ穴１０ｅ−１ｃ、１０ｅ−２ｃに挿通したネジＮを締結することで、取付部１０ｅ−１、１０ｅ−２へ取り付けるようにしている。
【００２８】
前記のように、保持部材１１−１と保持部材１１−２とは同形状であるので、保持部材１１−１は、取付部１０ｅ−１又は取付部１０ｅ−２のいずれに取り付けることが可能であり、保持部材１１−２も同様に取付部１０ｅ−１又は取付部１０ｅ−２のいずれにも取り付けできる。
【００２９】
一方、上述した第１巻回部１０ｆ−１及び第２巻回部１０ｆ−２は、図１に示すように、心線Ｈａを巻回する仮想円上で光ファイバーケーブル収納箱１０の長辺方向の頂点箇所に、図４（ａ）の枠状の第１ガイド突起１２−１を突設すると共に、短辺方向の頂点箇所に図４（ｂ）の逆Ｌ字状の第２ガイド突起１２−２を突設することで形成されている。よって、第１巻回部１０ｆ−１は２個の対向する第１ガイド突起１２−１及び２個の対向する第２ガイド突起１２−２で構成されており、第２巻回部１０ｆ−２も同様の構成にしている。なお、第１巻回部１０ｆ−１と第２巻回部１０ｆ−２との並設側となる中央の第１ガイド突起１２−１は、第１巻回部１０ｆ−１と第２巻回部１０ｆ−２とで共用されている。
【００３０】
図４（ａ）の第１ガイド突起１２−１は、両側の側壁部１２−１ａの上端を天板部１２−１ｂで連続させ、この天板部１２−１ｂを斜めに横断するスリット部１２−１ｃを設け、スリット部１２−１ｃを介して枠内部１２−１ｄに心線Ｈａを挿通できるようにしている。また、第２ガイド突起１２−２は、側壁部１２−２ａの上端に水平方向の天板部１２−２ｂを設け、側壁部１２−２ａに巻回した心線Ｈａが上端から抜けるのを防止している。
【００３１】
前記のように第１ガイド突起１２−１及び第２ガイド突起１２−２の突設配置箇所となる仮想円は半径を２０ｍｍ以上にして、光ファイバーケーブルＨが屈曲時に課せられる要件である最小半径寸法を確保するようにしている。
【００３２】
光ファイバーケーブル収納箱１０は、上述した以外にも図１に示すように、第１巻回部１０ｆ−１及び第２巻回部１０ｆ−２の各々の略中心箇所の底板部１０ｇにダルマ状のネジ穴１０ｈを設けて、光ファイバーケーブル収納箱１０を壁等にネジで取り付けられるようにしている。また、ネジ穴１０ｈの近辺には係止片１０ｉを立設してコンバータ１５と一体に係合できるようにしている。さらに、一方の取付部１０ｅ−１と一方の引込部１０ｄ−１との間、及び、他方の取付部１０ｅ−２と他方の引込部１０ｄ−２との間にはケーブルガイド１０ｊも設けている。
【００３３】
次に、索線されている光ファイバーケーブルＨを、壁に固定された光ファイバーケーブル収納箱１０の内部１０ｃに引き込んで、心線Ｈａの余長部分を処理する方法について説明する。なお、光ファイバーケーブル収納箱１０は、一方の引込部１０ｄ−１側を下方に、他方の引込部１０ｄ−２を上方にした状態で固定されており、光ファイバーケーブルＨは、下方から上方へ索線されているものとして説明する。
【００３４】
先ず、光ファイバーケーブルＨは、光ファイバーケーブル収納箱１０の内部１０ｃに引き込んだ際に下方の引込部１０ｄ−１側の取付部１０ｅ−１に該当する箇所から端末に至るまでの部分の被覆樹脂Ｈｂを除去して、心線ＨａとテンションメンバＴＭを露出する。また、露出したテンションメンバＴＭは、上方の取付部１０ｅ−２に至る箇所より端末側を切除しており、露出させた心線Ｈａは、作業性や後の設置場所変更等を考慮して、巻回しなければ光ファイバーケーブル収納箱１０に収まらない寸法に設定されることで余長部分を有している。
【００３５】
前記のように被覆樹脂Ｈｂを除去した光ファイバーケーブルＨを、下方の引込部１０ｄ−１から内部１０ｃに引き込んで、下方の取付部１０ｅ−１の窪部１０ｅ−１ａに収めている。このように光ファイバーケーブルＨの内部１０ｃへの引込は、索線された光ファイバーケーブルＨの方向に合致した下方の引込部１０ｄ−１から行っているので、光ファイバーケーブルＨを引き回すこともなく、容易且つスムーズに行っている。
【００３６】
前記のように光ファイバーケーブルＨを取付部１０ｅ−１の窪部１０ｅ−１ａに載置し、図３（ｂ）に示すように、一方の保持部材１１−１を上方から被せて保持部材１１−１の窪部１１−１ａに光ファイバーケーブルＨの上半分を収めた状態にして、ネジＮを締結して光ファイバーケーブルＨを保持している。このように保持することで、光ファイバーケーブルＨの索線に係る張力を受け止めて、被覆樹脂Ｈｂを露出した部分に前記張力がかからないようにしている。
【００３７】
次に、図３（ｃ）に示すように光ファイバーケーブルＨの露出した心線Ｈａを上方の取付部１０ｅ−２の窪部１０ｅ−２ａ内に位置させると共に、心線Ｈａの両側のテンションメンバＴＭを左右横方に広げて両側の凹部１０ｅ−２ｂに収めている。この状態で保持部材１１−２を被せて、保持部材１１−２の窪部１１−２ａ内に心線Ｈａを位置させると共に、上方から両側の凹部１１−２ｂにより、取付部１０ｅ−２の凹部１０ｅ−２ｂに収められているテンションメンバＴＭを押さえ込んだ状態にし、ネジＮを締結することでテンションメンバＴＭを保持している。なお、心線Ｈａは、上下の窪部１１−２ａ、１０ｅ−２ａ内に位置するのみで保持されていない。
【００３８】
上記保持後、図２に示すように、心線Ｈａの端末にコネクタＣを融着し、心線Ｈａの余長部分を処理するために、第１巻回部１０ｆ−１と第２巻回部１０ｆ−２の周囲に心線Ｈａを巻回している。本実施の形態では、光ファイバーケーブル収納箱１０と一体化させるコンバータ１５は、レセプタクル１５ａを左側の中央に下方向きで設けているため、コネクタＣが左側で下方から上向きとなるように、即ち、巻き始めから巻き終わりまでが同方向となるように心線Ｈａを巻回している。
【００３９】
余長部分の処理に対する心線Ｈａの巻回は、図５に示すように、保持部材１１−２を通過させた心線Ｈａを第１巻回部１０ｆ−１の上側の第１ガイド突起１２−１及び右側の第２ガイド突起１２−２に巻回し、次に第２巻回部１０ｆ−２の右側の第２ガイド突起１２−２、下側の第１ガイド突起１２−１、左側の第２ガイド突起１２−２に順次巻回し、再度、第１巻回部１０ｆ−１の左側の第２ガイド突起１２−２に巻回している。
【００４０】
以降、前記と同様に第２巻回部１０ｆ−２の下側の第１ガイド突起１２−１まで巻回し、この状態でコンバータ１５を光ファイバーケーブル収納箱１０と結合し、巻回した心線Ｈａの端末のコネクタＣをレセプタクル１５ａに接続している。この接続の際は、コネクタＣの向きはレセプタクル１５ａへ接続する向きと合致しているので、スムーズに接続することができ接続作業性が向上している。
【００４１】
なお、心線Ｈａを同方向に巻回する方法は、図５に示した形態以外に種々の巻回方法が可能であり、例えば、図６（ａ）に示すように、第１巻回部１０ｆ−１を周回してから第２巻回部１０ｆ−２の一部に巻回する方法や、図６（ｂ）に示すように、第１巻回部１０ｆ−１の一部に巻回してから第２巻回部１０ｆ−２を周回する方法や、また、図６（ｃ）に示すように、第１巻回部１０ｆ−１を周回してから第２巻回部１０ｆ−２も周回する方法がある。
【００４２】
これら図５及び図６（ａ）〜（ｃ）の巻回方法は、第１巻回部１０ｆ−１と第２巻回部１０ｆ−２とに巻回する場合、即ち、第１巻回部１０ｆ−１から第２巻回部１０ｆ−２へ渡る場合や第２巻回部１０ｆ−２から第１巻回部１０ｆ−１へ渡る場合に、第１巻回部１０ｆ−１と第２巻回部１０ｆ−２との間に位置する中央の第１ガイド突起１２−１を通過させていないものである。
【００４３】
また、図６（ｄ）も心線Ｈａを同方向に巻回する方法であるが、第１巻回部１０ｆ−１と第２巻回部１０ｆ−２とを巻回する場合に、第１巻回部１０ｆ−１と第２巻回部１０ｆ−２との間の中央の第１ガイド突起１２−１を複数回通過させるものである（図では２回）。即ち、心線Ｈａは、第１巻回部１０ｆ−１を約半周してから中央の第１ガイド突起１２−１を通過し、第２巻回部１０ｆ−２を約一周している。その後、再度、中央の第１ガイド突起１２−１を通過し、第１巻回部１０ｆ−１を周回し、今度は中央の第１ガイド突起１２−１を通過することなく第２巻回部１０ｆ−２に巻回している。
【００４４】
なお、図５及び図６（ａ）〜（ｄ）で示した巻回方法は、巻回数が図示された回数に限定されるものではなく、心線Ｈａの余長部分の長さに応じて、巻回回数を適宜増減することが可能であり、余長部分が短い場合等は、第１巻回部分１０ｆ−１のみ、又は、第２巻回部分１０ｆ−２のみを周回させるようにしてもよい。また、同方向で心線Ｈａを巻回する方法は、図５及び図６（ａ）〜（ｄ）以外の形態も可能であり、中央の第１ガイド突起１２−１を通過させずに巻回する方法、又は、複数回通過させる方法を適用することで同方向に巻回できる。
【００４５】
一方、光ファイバーケーブル収納箱１０と一体化されるコンバータが、図２で示す形態と異なり、レセプタクルが右側の中央に下方向きで設けられている場合は、心線Ｈａの端末に融着したコネクタＣをスムーズにレセプタクルに接続するためには、コネクタＣを右側で下方から上向きに引き出す必要がある。このように引き出されるコネクタＣに対応するには、図７（ａ）〜（ｃ）の巻回方法に示すように心線Ｈａの巻回方向を巻き始めと巻き終わりで反転させることで行っている。
【００４６】
図７（ａ）では、心線Ｈａが第１巻回部１０ｆ−１を周回してから、中央の第１ガイド突起１２−１を通過し、その後、第２巻回部１０ｆ−２を周回することで、端末のコネクタＣを右側へ引き出すようにして、巻回方法を反転させている。また、図７（ｂ）では、心線Ｈａが第１巻回部１０ｆ−１から、中央の第１ガイド突起１２−１を通過することなく、第２巻回部１０ｆ−２を周回し、その後、中央の第１ガイド突起１２−１を通過してから第１巻回部１０ｆ−１を周回し、最後に中央の第１ガイド突起１２−１を通過することなく第２巻回部１０ｆ−２を周回して端末のコネクタＣを右側へ引き出している。
【００４７】
さらに、図７（ｃ）は、心線Ｈａが第１巻回部１０ｆ−１と第２巻回部１０ｆ−２との間を渡る時に中央の第１ガイド突起１２−１を通過するようにして、コネクタＣを右側へ引き出している。このように第１巻回部１０ｆ−１と第２巻回部１０ｆ−２との間を奇数回通過させることで巻回方向は反転され、反転させる巻回方法は図７（ａ）〜（ｃ）以外にも種々可能である。また、心線Ｈａの余長部分の長さに応じて巻回回数も適宜増減することが可能である。
【００４８】
また、実施の形態の光ファイバーケーブル収納箱１０は、光ファイバーケーブルＨが上方から下方へ索線されていれば、上方の引込部１０ｄ−２から光ファイバーケーブルＨを内部１０ｃに引き込むことが可能である。この場合は、上方の取付部１０ｅ−２に他方の保持部材１１−２を取り付けて、光ファイバーケーブルＨの被覆樹脂Ｈｂで被われた箇所を及び保持すると共に、下方の取付部１０ｅ−１に一方の保持部材１１−１を取り付けてテンションメンバＴＭを保持し、心線Ｈａをレセプタクルの向きに合わせて第１巻回部１０ｆ−１及び第２巻回部１０ｆ−２に巻回して余長部分を吸収するようにしている。
【００４９】
なお、実施の形態に係る光ファイバーケーブル収納箱１０は種々の変形例の適用が可能であり、以下、各種変形例を説明する。
図８（ａ）（ｂ）は、取付部１０ｅ−１、１０ｅ−２に取り付ける保持部材の変形例であり、図８（ａ）は、光ファイバーケーブルＨのケーブル保持専用の保持部材２１−１であり、図８（ｂ）は、テンションメンバＴＭの保持専用の保持部材２１−２である。
【００５０】
図８（ａ）の保持部材２１−１は、下面中央にケーブル保持用の窪部２１−１ａを有し、両側には通し穴２１−１ｃを設けている。一方、図８（ｂ）の保持部材２１−２は、下面中央に心線Ｈａの通過用の窪部２１−２ａを有し、その両側にはテンションメンバＴＭを保持する凹部２１−２ｂを設け、さらに外側には、通し穴２１−２ｃを設けている。保持部材２１−１と保持部材２１−２は、光ファイバーケーブル収納箱１０の取付部１０ｅ−１、１０ｅ−２のいずれにも取付可能としており、光ファイバーケーブルＨの引込方向に応じて適宜入れ替えて取り付けるようにしている。このようにケーブル保持又はテンションメンバ保持の専用となる各保持部材２１−１、２１−２を適用することで、光ファイバーケーブルＨ及びテンションメンバＴＭの保持をより確実に行える。
【００５１】
図９は、変形例の光ファイバーケーブル収納箱２０であり、上下の周壁２０ａに設けた引込部２０ｄ−１、２０ｄ−２に対応して、計３個の取付部２０ｅ−１〜３を内部２０ｃに設けている。また、中央の取付部２０ｅ−２には、図８（ｂ）のテンションメンバＴＭの専用の保持部材２１−２を取り付け、光ファイバーケーブルＨを引き込む側の取付部２０ｅ−１、２０ｅ−３のいずれか一方に図８（ａ）の保持部材２１−１を取り付けるようにしている（図では、取付部２０ｅ−１に保持部材２１−１を取付）。よって、光ファイバーケーブル収納箱２０では、中央の保持部材２１−２及び取付部２０ｅ−２を共用にしている。
【００５２】
このように光ファイバーケーブル収納箱２０は、中央の保持部材２１−２及び取付部２０ｅ−２を共用にすることで、上下の各引込部２０ｄ−１、２０ｄ−２毎に２個の保持部材を取り付けるようにした場合に比べて小型化できるようにしている。なお、各取付部２０ｅ−１〜３には、図３（ａ）の保持部材１１−１、１１−２を取り付けるようにしてもよい。
【００５３】
図１０は、別の変形例の光ファイバーケーブル収納箱３０であり、上下の引込部３０ｄ−１、３０ｄ−２に加えて、上下方向の辺の両方の端部付近の周壁３０ａを切り欠いて左下引込部３０ｄ−３及び左上引込部３０ｄ−４を形成している。左下引込部３０ｄ−３から引き込んだ光ファイバーケーブルＨは緩やかに屈曲させて保持部材３１−１で保持するようにし、左上引込部３０ｄ−４から引き込んだ光ファイバーケーブルＨも緩やかに屈曲させて保持部材３１−２で保持するようにしている。このように光ファイバーケーブル収納箱３０は、左側の上下からも光ファイバーケーブルＨを引き込むことができるので、種々の索線形態にも対応できる。
【００５４】
なお、本発明の光ファイバーケーブル収納箱に係る各引込部、取付部、保持部材は、上述した計２個の第１巻回部及び第２巻回部と組み合わせる以外にも、図１４に示す従来の光ファイバーケーブル収納箱１のように単一の巻回部にも組み合わせ可能である。
【００５５】
また、光ファイバーケーブル収納箱における第１巻回部及び第２巻回部にも種々の変形が可能であり、図１１（ａ）は、変形例の光ファイバーケーブル収納箱４０における第１巻回部４０ｆ−１及び第２巻回部４０ｆ−２の斜視図である。第１巻回部４０ｆ−１及び第２巻回部４０ｆ−２は、図１１（ｂ）に示すように、全体がボビン状であり、底板部４０ｇより柱状部４４−１（４４−２）を立設すると共に、柱状部４４−１（４４−２）の上端に柱状部４４−１（４４−２）より大径の天板部４３−１（４３−２）を設けている。
【００５６】
各第１巻回部４０ｆ−１及び第２巻回部４０ｆ−２は、柱状部４４−１（４４−２）の周囲に心線Ｈａを巻回し、天板部４３−１（４３−２）で巻回した心線Ｈａの抜けを防止している。また、第１巻回部４０ｆ−１及び第２巻回部４０ｆ−２は間隔を隔てて設けられており、第１巻回部４０ｆ−１と第２巻回部４０ｆ−２との間には、巻回する心線Ｈａを通過させることが可能であり、上述した図５及び図６（ａ）〜（ｄ）に示す同方向の巻回方法等、及び、図７（ａ）〜（ｃ）に示す反転させる巻回方法等を適用することが可能である。
【００５７】
図１２（ａ）は、別の変形例となる光ファイバーケーブル収納箱５０における第１巻回部５０ｆ−１及び第２巻回部５０ｆ−２の斜視図である。第１巻回部５０ｆ−１及び第２巻回部５０ｆ−２は底板部５０ｇから突設する夫々計４個のガイド突起５２から構成されている。
【００５８】
ガイド突起５２は、光ファイバーケーブル収納箱５０の対角方向に設けられており、図４（ａ）の第１ガイド突起１２−１と略同等の枠形状に形成されている。ガイド突起５２が第１ガイド突起１２−１と相異する点は、図１２（ｂ）に示すように、ガイド突起５２の設けられている箇所に応じて全体が湾曲していることである。即ち、第１巻回部５０ｆ−１及び第２巻回部５０ｆ−２は、各ガイド突起５２を心線Ｈａの巻回軌跡とする円周上の４箇所に配置しており、この円周の曲率に応じてガイド突起５２は、心線Ｈａの挿通方向の辺を湾曲させている。
【００５９】
ガイド突起５２を、上記のような形状にすることで心線Ｈａを規定の曲率で巻回することが容易になる。なお、この変形例においても第１巻回部５０ｆ−１及と第２巻回部５０ｆ−２との間に心線Ｈａを通過させることが可能であり、上述した図５及び図６（ａ）〜（ｄ）に示す同方向の巻回方法等、及び、図７（ａ）〜（ｃ）に示す反転させる巻回方法等を適用できる。
【００６０】
図１３は、さらに別の変形例となる光ファイバーケーブル収納箱６０における第１巻回部６０ｆ−１及び第２巻回部６０ｆ−２の斜視図である。第１巻回部６０ｆ−１及び第２巻回部６０ｆ−２は、図１の第１ガイド突起１２−１及び第２ガイド突起１２−２と同様の配置形態で底板部６０ｇから突設する第１ガイド突起６２−１及び第２ガイド突起６２−２により構成されている。
【００６１】
第１ガイド突起６２−１は、第１巻回部６０ｆ−１と第２巻回部６０ｆ−２との間に設けられ、第１巻回部６０ｆ−１と第２巻回部６０ｆ−２との共用にされており、Ｔ字状に形成することで両側に心線Ｈａを巻回できるようにしている。また、第２ガイド突起６２−２は、図４（ｂ）の第２ガイド突起１２−２と同等の逆Ｌ字状に形成されており、光ファイバーケーブル収納箱６０の長辺方向に位置する第２ガイド突起６２−２は内方向へ向けており、短辺方向に位置する第２ガイド突起６２−２は外方向へ向けている。
【００６２】
この変形例では、各ガイド突起６２−１、２に枠形状のものを用いていないため、光ファイバーケーブル収納箱６０の形成用の金型製作が容易となり、金型製作に係るコストの低減を図れる。また、第２ガイド突起６２−２を上述したように所要方向に向けることで心線Ｈａを適切に巻回できる。なお、光ファイバーケーブル収納箱６０も上述した図５及び図６（ａ）〜（ｄ）に示す同方向の巻回方法等、及び、図７（ａ）〜（ｃ）に示す反転させる巻回方法等を適用できる。
【００６３】
なお、図１の第１巻回部１０ｆ−１及び第２巻回部１０ｆ−２、図１１の第１巻回部４０ｆ−１及び第２巻回部４０ｆ−２、図１２の第１巻回部５０ｆ−１及び第２巻回部５０ｆ−２、図１３の第１巻回部６０ｆ−１及び第２巻回部６０ｆ−２は、本発明に係る光ファイバーケーブル収納箱以外にも、従来の光ファイバーケーブル収納箱にも適用可能である。
【００６４】
【発明の効果】
以上に詳述した如く、本発明にあっては、複数の引込部の中から索線される光ファイバーケーブルの方向に応じた引込部を介して、光ファイバーケーブルを光ファイバーケーブル収納箱の内部に引き込むことができ、光ファイバーケーブルの引込作業の効率化を図れる。また、少なくとも、テンションメンバ保持部材を各引込部の共用にしているため、光ファイバーケーブル収納箱の大型化を防止して、壁部等への良好な設置性を維持できる。
【００６５】
本発明にあっては、ケーブル保持部材も各引込部の共用にしているため、一段と光ファイバーケーブルの大型化を防止できる。また、ケーブル保持部材とテンションメンバ保持部材とは取付箇所の入れ替え可能なので、各引込部に対応した取付形態を維持して光ファイバーケーブル及びテンションメンバの保持を確実に確保できる。
本発明にあっては、ケーブル保持部材とテンションメンバ保持部材とが同形状であるため、部品共用化によりコスト低減を図れると共に、各保持部材の取付ミスも生じる可能性が無くなり、光ファイバーケーブルの引込作業性を向上できる。
【００６６】
本発明にあっては、巻回部を２個設けているので、心線端末のコネクタの接続先であるレセプタクルの向きに合わせて、心線を終始同方向に巻回することも、又は、途中反転させて巻回することもでき、コネクタの接続性を大幅に向上できる。また、２個の巻回部により巻回可能な量を細かく調節でき、心線の余長部分がどのような寸法であっても、適切に吸収することができる。
本発明にあっては、前記巻回部をボビン状部材で形成したり、又は、複数の巻回規制用突起で構成することで、種々の巻回形態に対応できる。
【００６７】
本発明にあっては、２個の巻回部材を並設することで、光ファイバーケーブルの余長部分を２通りの巻回方法で処理できる。よって、巻回方向を、光ファイバーケーブル端部の接続先であるレセプタクルの向きに合わせ巻回でき、心線の無理な引き回しを解消してスムーズな接続作業を実現できる。
【図面の簡単な説明】
【図１】本発明の実施の形態に係る光ファイバーケーブル収納箱の分解斜視図である。
【図２】実施の形態の光ファイバーケーブル収納箱をコンバータへ一体化する状態の斜視図である。
【図３】保持部材及び取付部であり、（ａ）は保持部材を取付部へ取り付ける状態の概略図、（ｂ）は光ファイバーケーブルの保持状態の概略図、（ｃ）はテンションメンバの保持状態の概略図である。
【図４】（ａ）は第１ガイド突起の斜視図、（ｂ）は第２ガイド突起の斜視図である。
【図５】心線の巻回状態の概略図である。
【図６】（ａ）（ｂ）（ｃ）（ｄ）は、心線を同方向に巻回する場合の巻回状態を示す概略図である。
【図７】（ａ）（ｂ）（ｃ）は、心線を反転させて巻回する場合の巻回状態を示す概略図である。
【図８】（ａ）は変形例のケーブル用の保持部材の正面図、（ｂ）は変形例のテンションメンバ用の保持部材の正面図である。
【図９】変形例の光ファイバーケーブル収納箱の要部平面図である。
【図１０】別の変形例の光ファイバーケーブル収納箱の要部平面図である。
【図１１】（ａ）は変形例の第１巻回部及び第２巻回部の斜視図、（ｂ）は第１巻回部の正面図である。
【図１２】（ａ）は別の変形例の第１巻回部及び第２巻回部の斜視図、（ｂ）はガイド突起の斜視図である。
【図１３】他の別の変形例の第１巻回部及び第２巻回部の斜視図である。
【図１４】従来の光ファイバーケーブル収納箱の平面図である。
【符号の説明】
１０  光ファイバーケーブル収納箱
１０ａ  周壁
１０ｃ  内部
１０ｄ−１、１０ｄ−２  引込部
１０ｅ−１、１０ｅ−２  取付部
１０ｆ−１  第１巻回部
１０ｆ−２  第２巻回部
１０ｇ  底板部
１１−１、１１−２  保持部材
１２−１  第１ガイド突起
１２−２  第２ガイド突起
Ｈ  光ファイバーケーブル
Ｈａ  心線
Ｈｂ  被覆樹脂
ＴＭ  テンションメンバ
【図１】
0003762702.tif 000002
【図２】
0003762702.tif 000003
【図３】
0003762702.tif 000004
【図４】
0003762702.tif 000005
【図５】
0003762702.tif 000006
【図６】
0003762702.tif 000007
【図７】
0003762702.tif 000008
【図８】
0003762702.tif 000009
【図９】
0003762702.tif 000010
【図１０】
0003762702.tif 000011
【図１１】
0003762702.tif 000012
【図１２】
0003762702.tif 000013
【図１３】
0003762702.tif 000014
【図１４】
0003762702.tif 000015